(57)【特許請求の範囲】
【請求項１】
碍子の近傍に立設された避雷ユニットの頭部に、碍子を囲むリング状アーキングホーンを取り付けた限流アークホーン装置において、このリング状アーキングホーンは避雷ユニットへの取り付け基部とは反対側に開口部を備えた弾性線材よりなり、かつ避雷ユニットへの取り付け基部付近に形成した絞り部に、略菱形状をした中心部から細長い腕部を伸ばした形状を有し、絞り部を構成する２本の弾性線材を内部に入れた固定リングを取り付け、この固定リングを回転させることにより、前記開口部を完全なリング状となる閉鎖状態に固定できる構造としたことを特徴とする限流アークホーン装置。
【発明の詳細な説明】
【０００１】
【発明の属する技術分野】
本発明は、主として配電線路に設置される限流アークホーン装置に関するものである。
【０００２】
【従来の技術】
配電線路を落雷による事故から保護するために、碍子の近傍にアーキングホーンを備えた避雷ユニットを立設し、雷サージにより線路に流れる高電圧をアーキングホーンで捕捉して避雷ユニットに流し、続流を遮断するようにした限流アークホーン装置が用いられている。その一例は実公平２−３１９３８号公報に示す通りであり、図５に示すように碍子１の近傍に立設された避雷ユニット２の頭部に、碍子１の外周を囲むリング状アーキングホーン３を取り付けた構造となっている。
【０００３】
このリング状アーキングホーン３は、避雷ユニット２への取り付け基部４とは反対側に開口部５を備えた弾性線材よりなるもので、取り付けに際しては開口部５を開いて碍子１をリング状アーキングホーン３の内部に通したうえ、開口部５、５間に連結リング６を掛ける方法が取られていた。しかしこのような従来の限流アークホーン装置は、碍子１の一方側から取り付ける避雷ユニット２のリング状アーキングホーン３の開口部５を、碍子１の反対側において連結リング６により固定する必要があり、作業員が作業位置を移動せずに取り付け作業を行うことは困難であった。
【０００４】
【発明が解決しようとする課題】
本発明は上記した従来の問題点を解決し、既設の配電線路に取り付け作業を、作業位置を移動することなく行うことができる限流アークホーン装置を提供するためになされたものである。
【０００５】
【課題を解決するための手段】
上記の課題を解決するためになされた本発明は、碍子の近傍に立設された避雷ユニットの頭部に、碍子を囲むリング状アーキングホーンを取り付けた限流アークホーン装置において、このリング状アーキングホーンは避雷ユニットへの取り付け基部とは反対側に開口部を備えた弾性線材よりなり、かつ避雷ユニットへの取り付け基部付近に形成した絞り部に、略菱形状をした中心部から細長い腕部を伸ばした形状を有し、絞り部を構成する２本の弾性線材を内部に入れた固定リングを取り付け、この固定リングを回転させることにより、前記開口部を完全なリング状となる閉鎖状態に固定できる構造としたことを特徴とするものである。
【０００６】
上記のように構成された本発明の限流アークホーン装置は、リング状アーキングホーンの開口部を開いて碍子の側方から碍子に嵌めたうえ、取り付け基部付近に形成した絞り部を固定リングにより絞ることができる。このため、従来のように碍子１の反対側で作業を行う必要はなくなり、取り付け作業を簡単に行うことができる。
【０００７】
【発明の実施の形態】
以下に本発明の好ましい実施の形態を示す。
図１は本発明の実施形態を示す正面図であり、１は電柱の腕金７にピン１５をナット８によって固定された碍子であって、その頭部に電線９が取り付けられている。２はこの碍子１の近傍に立設された避雷ユニットであり、その下部は腕金７にナット１０によってピン１５に固定された取り付け金具１１に支持されている。避雷ユニット２自体は、内部に避雷素子を備えた公知のものである。
【０００８】
３は避雷ユニット２の頭部に取り付けられた碍子１を囲むリング状アーキングホーンである。このリング状アーキングホーン３は、従来と同様に避雷ユニット２への取り付け基部４とは反対側に開口部５を備えた金属等の弾性線材よりなるものである。しかし本発明では、図２、図３に示すようにリング状アーキングホーン３の取り付け基部４の付近に、絞り部１２が形成されており、さらにこの絞り部１２に固定リング１３が取り付けられている。
【０００９】
この固定リング１３は、図４に示すように略菱形状をした中心部から細長い腕部１４を伸ばした形状をしており、リング状アーキングホーン３の絞り部１２を構成する２本の弾性線材がその内部に入っている。このため、固定リング１３を図４に実線で示した水平位置とすると、２本の弾性線材の一方が腕部１４に入り絞り部１２が絞られないので、リング状アーキングホーン３はそれ自体の弾性により図２のように開口部５を開く。
【００１０】
しかし固定リング１３を図４に想像線で示した垂直位置に回転させると、２本の弾性線材は略菱形状をした中心部に入り込み、絞り部１２が絞られる。そのため、図３に示すようにリング状アーキングホーン３は開口部５を閉鎖状態となり、外力を加えて固定リング１３を回さない限り、そのままの状態で固定される。このように本発明の限流アークホーン装置は、避雷ユニット２への取り付け基部４の側でリング状アーキングホーン３を開閉させることができるので、碍子１の一方側から取り付け作業を行うことができる。
【００１１】
実際の取り付けは、上記のリング状アーキングホーン３を備えた避雷ユニット２を予め取り付け金具１１にセットしておき、この取り付け金具１１をナット１０によって碍子１のピン１５に取り付ける方法で行われる。この取り付け金具１１の先端は図２、図３に示すように二股状となっており、側方から容易に碍子１のピン１５に挿入できる工夫がなされている。しかしナット１０を締めつける前に避雷ユニット２が落下したり転倒しないように、図示のような碍子１への仮止めリング１６を避雷ユニット２の下部または取り付け金具１１に設けておくことが好ましい。この仮止めリング１６も先端が開いた略円形の弾性線材よりなるもので、碍子の円形のベース金具１７に弾性的に嵌合させることにより、取り付け金具１１を碍子１の側方に仮止めすることができる。この状態でリング状アーキングホーン３の開口部５の閉鎖を行い、図３の状態とした後にナット１０を強く締めればよい。
【００１２】
なお、リング状アーキングホーン３の開口部５は側方から碍子１に挿入しやすいように、屈曲部１８を形成しておくことが望ましい。また固定リング１３により開口部５を閉じた状態では、屈曲部１８、１８どうしが図３のように重なり合い、完全なリング状となるように寸法設定しておくものとする。
【００１３】
【発明の効果】
以上に説明したように、本発明の限流アークホーン装置は、リング状アーキングホーンの取り付け基部付近に形成した絞り部に、開口部を閉鎖状態に固定できる固定リングを取り付けたので、作業員は碍子の一方側のみで取り付け作業を行うことが可能である。また、前記のように碍子の一方側から作業位置を移動することなく取り付けできるようにしたので、活線工具かマニピュレータによる取り付け作業が簡単に実施できる。取り付け後は、従来品と全く同様に雷サージにより線路に流れる高電圧をリング状アーキングホーンで捕捉して避雷ユニットに流し、続流を遮断することができる。なお、実施の形態に示したように仮止めリングを設ければ、取り付け作業が更に容易に行えるようになる。
【図面の簡単な説明】
【図１】本発明の実施形態を示す正面図である。
【図２】リング状アーキングホーンを開いた状態を示す、碍子を省略した平面図である。
【図３】リング状アーキングホーンを閉じた状態を示す、碍子を省略した平面図である。
【図４】固定リングを示す側面図である。
【図５】従来例を示す水平断面図である。
【符号の説明】
１  碍子、２  避雷ユニット、３  リング状アーキングホーン、４  避雷ユニットへの取り付け基部、５  開口部、６  従来の連結リング、７  電柱の腕金、８  ナット、９  電線、１０  ナット、１１  取り付け金具、１２  絞り部、１３  固定リング、１４  腕部、１５  碍子のピン、１６  仮止めリング、１７碍子のベース金具、１８  屈曲部
【図１】
0003770994.tif 000002
【図２】
0003770994.tif 000003
【図３】
0003770994.tif 000004
【図４】
0003770994.tif 000005
【図５】
0003770994.tif 000006